(57)【要約】【課題】  製版装置に関し、製版にかかる処理を容易に且つ速やかに行えるようにするとともに、刷版の外径の変更に対しても容易に対応することができるようにする。【解決手段】  円筒状の刷版１に製版を行なう製版装置であって、刷版１の軸心位置を一定の高さに固定して製版の処理を行なう処理装置３０〜３４と、処理装置３０〜３４を刷版１の外径に応じて昇降させる昇降装置７０と、刷版１の外径に応じて昇降された処理装置３０〜３４を刷版に対して離接調整する離接調整装置と、をそなえるように構成する。【選択図】        図１
2005313494.tif 000002
【特許請求の範囲】
【請求項１】
円筒状の刷版に製版を行なう製版装置であって、
該刷版の軸心位置を一定の高さに固定して製版の処理を行なう処理装置と、
該処理装置を該刷版の外径に応じて昇降させる昇降装置と、
該刷版の外径に応じて昇降された該処理装置を該刷版に対して離接調整する離接調整装置と、をそなえている
ことを特徴とする、製版装置。
【請求項２】
少なくとも製版工程の工程数だけ設けられ、順に並べられた複数のステーションをそなえ、
該処理装置は、製版工程の各工程に一対一対応し、製版工程の順序に従って上記ステーションにそれぞれ配置され、
複数の刷版を製版工程の順序に従って一のステーションから次のステーションへ順に連続して移送する移送装置とを備えている
ことを特徴とする、請求項１記載の製版装置。
【請求項３】
上記の複数のステーションの一部又は全部は、水平方向に直線状に配設され、
上記昇降装置は、上記の複数の処理装置を上載した基台と、該基台を昇降させるアクチュエータと、をそなえている
ことを特徴とする、請求項２記載の製版装置。
【請求項４】
上記の複数の処理装置のうち上記刷版の版面に直接接触する処理装置は、各処理対象の上記刷版の軸心の水平方向位置に対して水平方向に略一定距離の水平方向位置で接触するように設定されている
ことを特徴とする、請求項３記載の製版装置。
【請求項５】
上記刷版が再生式刷版であり、上記製版工程は上記刷版の版面を再生する工程を含む
ことを特徴とする、請求項１〜４の何れか１項に記載の製版装置。
【請求項６】
上記処理装置として、少なくとも絵柄消去装置、画線材塗布装置、乾燥装置、及び絵柄書き込み装置を備えた
ことを特徴とする、請求項２〜５の何れか１項に記載の製版装置。
【請求項７】
上記の各ステーションにおける上記刷版の停止位置は、互いに等間隔になるように設定され、
上記移送装置は、上記の各ステーションにおける上記刷版停止位置に対応して複数そなえられ上記刷版を支持する刷版支持部材と、上記の複数の刷版支持部材を支持する単一の基礎支持部材とをそなえ、
上記移送装置は、上記の各刷版支持部材に支持された上記刷版がそれぞれ隣接するステーションに移送するように上記基礎支持部材を移動させる
ことを特徴とする、請求項２〜６の何れか１項に記載の製版装置。
【発明の詳細な説明】
【技術分野】
【０００１】
本発明は、繰り返し使用される再生式刷版の製版（再生）に用いて好適な製版装置であって、特に、異なる外径を有する再生式刷版に対応しうる製版装置に関するものである。
【背景技術】
【０００２】
近年、絵柄が書き換え可能で何度でも繰り返し使用可能な再生式刷版が開発されている。
再生式刷版の絵柄の書き換え処理は、専用の製版装置（版再生装置）で行われる。特に印刷機上に設けられた製版装置は機上製版装置と呼ばれており、刷版を版胴に装着した状態で絵柄を書き換え可能になっている。ところが、この形式では、絵柄の書き換えの間は印刷を行うことができず、また、交換する刷版を前もってストックしておくことができないために無駄時間が生じ、生産効率が低下する。
【０００３】
このため、今日では、印刷機外に印刷機とは独立して製版装置を設けるようにした、いわゆる機外製版装置が提案されている（例えば、特許文献１，特許文献２参照）。
例えば、特許文献１に記載された製版装置では、刷版を円筒状の支持胴に取り付け、この支持胴を架台の軸受けに片持ち支承させてモータによって駆動するようになっている。また、軸受けに平行に設けられた横木上には、製版のための処理装置（画線部形成装置，消去装置，固定装置，塗布装置）が横木に対してスライド移動可能に設置されており、これら処理装置が回転する支持胴に沿って水平移動しながら刷版に処理を施すようになっている。なお、特許文献２に記載された製版装置は、ここでは図示しないが、上記の支持胴を２つの軸受けによって両持ち支承するようにしたものである。
【０００４】
一方、かかる再生式刷版を利用する輪転式印刷機械において、印刷内容を変更する際に、刷版やブランケットの周長の変更、即ち、印刷胴（版胴及びブランケット胴）の直径の変更が要求される場合がある。このような要求に対しては、一般に、印刷胴や刷版やブランケットをいずれも取り替えるが、近年、印刷胴を、重量の大きな軸部と、この軸部に外嵌される円筒状のスリーブとに分割構成して、軸部は取り替えずにスリーブを外径の異なるものに取り替えて、印刷胴の直径を変更できるようにした技術（このような印刷機はカットオフ長を変更できることからバリアブルカットオフ印刷機と呼ぶ）も開発されている（例えば、特許文献３，特許文献４，特許文献５参照）。
【特許文献１】特開２００２−１７８４８１号公報
【特許文献２】特許第３３６３８８４号公報
【特許文献３】特許第３２２３７８８号公報
【特許文献４】特開平９−１８３２０８号公報
【特許文献５】特開２００１−３２２２４０号公報
【発明の開示】
【発明が解決しようとする課題】
【０００５】
ところで、特許文献１に記載されている従来の製版装置には、大きく分けて次の２つの課題がある。第１の課題は、処理速度（時間当たりの製版枚数）が低いことである。すなわち、従来の製版装置では、全ての処理装置が軸受けに支持された支持胴の周りに配置され、各処理装置が順に処理を行うため、一つの刷版の処理が完了するまでは次の刷版の処理を行うことができない。したがって、製版装置全体の処理速度を上げるためには、各処理装置の個々の処理速度を高める必要があるが、それには限界があるとともに、処理速度の向上に応じてコストも高くなってしまう。これは特許文献２に記載された製版装置にも共通する課題である。
【０００６】
第２の課題は、広い設置スペースを必要とすることである。すなわち、従来の製版装置では、軸受けの軸方向に支持胴を出し入れするため、装置の幅方向にフリースペースが必要となる。特に、刷版の交換を機械的に行う場合には、装置の幅方向に支持胴を引き出して交換するための補助装置を設置する必要があるため、実質的には支持胴の軸方向長さの２倍以上の幅方向スペースが必要となってしまうのである。このため、設置スペースに制約がある場合には、支持胴の出し入れが困難になり、版自動化も難しい。なお、特許文献２に記載された製版装置では、片側の軸受けを開放してモータ側の軸受けに片持ちさせた状態で支持胴を軸方向に引き出すことになるが、この場合も上記と同様、装置の幅方向に支持胴の交換のための広いスペースが必要となる。
【０００７】
そこで、本願の創案過程で、図１０に示すような製版装置を案出した。
図１０に示すように、この製版装置５０は、各処理ステーションＳ１〜Ｓ４が略水平なライン上に、製版工程の順序に従って、第１処理ステーションＳ１、第２処理ステーションＳ２、第３処理ステーションＳ３、そして第４処理ステーションＳ４の順に配置されたことを特徴としている。各処理ステーションＳ１〜Ｓ４には、処理装置３０〜３４が配置されている。
【０００８】
各処理ステーションＳ１〜Ｓ４には、割り当てられた工程に応じた処理装置が設置されている。まず、第１処理ステーションＳ１にはクリーニング装置３０が設置されている。クリーニング装置３０は、水洗装置３０ａと布洗浄装置３０ｂとからなり、刷版１の版面上に付着したインキ、湿し水、紙粉などを水洗した後に、布状物を巻きつけたローラで版面のインキを拭き取るようになっている。第２処理ステーションＳ２には塗布装置３１と乾燥装置３２とが設置されている。塗布装置３１はローラによって刷版１の版面にバーコータを塗布し、これを乾燥装置３２がハロゲンランプの熱によって加熱乾燥するようになっている。第３処理ステーションＳ３にはレーザ書き込み装置３３が設置されている。レーザ書き込み装置３３は刷版１の版面にレーザ光を照射することで新たな絵柄を書き込む。そして、第４処理ステーションＳ４には現像装置３４が設置されている。現像装置３４は刷版１の版面にローラで現像液を塗布し、さらに定着液を塗布することで、レーザ書き込み装置３３により書き込まれた絵柄を現像するようになっている。
【０００９】
この製版装置５０は、キャリア２を移送する移送装置５１として、チェーン（無限軌道部材）５２を用いている。製版装置５０内には横長な楕円形状のガイド５３が配置され、チェーン５２はこのガイド５３の周りを図示しないアクチュエータによって回動する。各処理ステーションＳ１〜Ｓ４は、チェーン５２がガイド５３に沿って描く楕円軌道の上辺に沿って配置されている。また、楕円軌道の前後両端には、搬入ステーションＳ０と搬出ステーションＳ５とが配置されている。搬入ステーションＳ０から各処理ステーションＳ１〜Ｓ４を経て搬出ステーションＳ５に至るまでの各ステーション間の距離は等距離であり、チェーン５２には、複数のチャック装置２０がステーション間距離に合わせて等ピッチで取り付けられている。
【００１０】
このような構成により、外部から製版装置５０内に搬入されたキャリア２は、ライン前端の搬入ステーションＳ０においてチャック装置２０に装着され、チェーン５２の回動とともに各処理ステーションＳ１〜Ｓ４を移送されていく。なお、移送装置５１は、各処理ステーションＳ１〜Ｓ４での処理の完了に合わせて、チェーン５２を一ピッチずつ移動させる。そして、全処理ステーションＳ１〜Ｓ４での処理が完了し、キャリア２がライン後端の搬出ステーションＳ５に運ばれると、そこでキャリア２はチャック装置２０から取り外されて、搬出ステーションＳ５から外部へ搬出される。
【００１１】
本製版装置５０によれば、キャリア２の搬送手段としてチェーン５２を用いることで、各ステーションＳ０〜Ｓ５のレイアウトの自由度が高くなる。そして、全ステーションＳ０〜Ｓ５をライン上に並べて配置することで、液体操作に有利な装置下側からのアクセスが全ての処理ステーションＳ１〜Ｓ４において可能となり、作業性が向上するとともに、水洗装置３０ａや現像装置３４からの液垂れによる刷版１や装置の汚れも回避できるという利点がある。
【００１２】
ところで、前述のように、印刷胴（版胴及びブランケット胴）の直径が変更される場合があるが、図１０に示す製版装置もこの版胴の直径変更に対応できるようにすることが要求される。つまり、つまり、キャリア２は装着される刷版１の印刷サイズやカットオフに対応した厚さのものが選定されるので、各処理装置３０〜３４の位置を調整可能にしておくことで、様々なサイズのキャリア２にも対応することができる。すなわち、クリーニング装置３０の水洗装置３０ａと布洗浄装置３０ｂや、塗布装置３１のローラや、現像装置３４のローラは、刷版１の版面に直接接触して処理を行うので、刷版１の外径が変わったら、これに応じて各処理装置３０，３１，３４の要部（水洗装置３０ａや布洗浄装置３０ｂやローラ）の位置を変更しなければ対応できない。
【００１３】
本発明は、このような課題に鑑み創案されたもので、製版にかかる処理を容易に且つ速やかに行えるようにするとともに、刷版の外径の変更に対しても容易に対応することができるようにした、製版装置を提供することを目的とする。
【課題を解決するための手段】
【００１４】
上記目標を達成するため、本発明の製版装置は、円筒状の刷版に製版を行なう製版装置であって、該刷版の軸心位置を一定の高さに固定して製版の処理を行なう処理装置と、該処理装置を該刷版の外径に応じて昇降させる昇降装置と、該刷版の外径に応じて昇降された該処理装置を該刷版に対して離接調整する離接調整装置と、をそなえていることを特徴としている（請求項１）。
【００１５】
さらに、少なくとも製版工程の工程数だけ設けられ、順に並べられた複数のステーションをそなえ、該処理装置は、製版工程の各工程に一対一対応し、製版工程の順序に従って上記ステーションにそれぞれ配置され、複数の刷版を製版工程の順序に従って一のステーションから次のステーションへ順に連続して移送する移送装置とを備えていることが好ましい（請求項２）。
【００１６】
この場合。上記の複数のステーションの一部又は全部は、水平方向に直線状に配設され、上記昇降装置は、上記の複数の処理装置を上載した基台と、該基台を昇降させるアクチュエータと、をそなえていることが好ましい（請求項３）。
さらに、上記の複数の処理装置のうち上記刷版の版面に直接接触する処理装置は、各処理対象の上記刷版の軸心の水平方向位置に対して水平方向に略一定距離の水平方向位置で接触するように設定されていることが好ましい（請求項４）。
【００１７】
また、本製版装置は、勿論、通常の製版にも利用してよいが、上記刷版が再生式刷版であり、上記製版工程は上記刷版の版面を再生する工程を含むことが好ましい（請求項５）。
上記処理装置としては、少なくとも絵柄消去装置、画線材塗布装置、乾燥装置、及び絵柄書き込み装置を備えるようにすることが好ましい（請求項６）。
【００１８】
また、上記の各ステーションにおける上記刷版の停止位置は、互いに等間隔になるように設定され、上記移送装置は、上記の各ステーションにおける上記刷版停止位置に対応して複数そなえられ上記刷版を支持する刷版支持部材と、上記の複数の刷版支持部材を支持する単一の基礎支持部材とをそなえ、上記移送装置は、上記の各刷版支持部材に支持された上記刷版がそれぞれ隣接するステーションに移送するように上記基礎支持部材を移動させることが好ましい（請求項７）。
【発明の効果】
【００１９】
本発明の製版装置によれば、刷版の軸心位置を一定の高さに固定するとともに、昇降装置によって処理装置を刷版の外径に応じて昇降させ、さらに、離接調整装置によって、刷版の外径に応じて昇降された処理装置を刷版に対して離接調整して、製版の処理を行なうことができ、外径寸法の異なる刷版に対しても容易に対応して、製版の処理を行うことができる（請求項１）。
【００２０】
さらに、複数のステーションが少なくとも製版工程の工程数だけ順に並べられて設けられ、該処理装置を、製版工程の各工程に一対一対応し、製版工程の順序に従って上記ステーションにそれぞれ配置し、複数の刷版を製版工程の順序に従って一のステーションから次のステーションへ順に連続して移送する移送装置を備えることにより、複数の刷版の並列処理が可能になるため、各処理装置の処理速度は従来と同じであっても全体として高い処理速度を得ることができる（請求項２）。
【００２１】
この場合、上記の複数のステーションの一部又は全部を水平方向に直線状に配設し、上記昇降装置を、上記の複数の処理装置を上載した基台と、該基台を昇降させるアクチュエータとをそなえ構成すれば、アクチュエータにより基台を昇降させるだけで、複数の処理装置の上下位置を刷版の外径に応じて同時に昇降調整することができ、効率がよい（請求項３）。
【００２２】
さらに、この場合に、上記の複数の処理装置のうち上記刷版の版面に直接接触する処理装置を、各処理対象の上記刷版の軸心の水平方向位置に対して水平方向に略一定距離の水平方向位置で接触するように設定すれば、刷版の外径が異なるものになっても、処理装置を刷版の版面に適切に接触させることができ、製版処理を高精度に行うことができる（請求項４）。
【００２３】
また、上記刷版が再生式刷版であり、上記製版工程は上記刷版の版面を再生する工程を含む場合、絵柄の書き換えに要する処理速度が向上し、より少ない刷版数で運用することが可能になる。この場合、処理装置としては、少なくとも絵柄消去装置、画線材塗布装置、乾燥装置、及び絵柄書き込み装置が備えられることになる（請求項５，６）。
また、上記の各ステーションにおける上記刷版の停止位置を、互いに等間隔になるように設定し、上記移送装置を、上記の各ステーションにおける上記刷版停止位置に対応して複数そなえられ上記刷版を支持する刷版支持部材と、上記の複数の刷版支持部材を支持する単一の基礎支持部材とを備えるようにし、上記移送装置を、上記の各刷版支持部材に支持された刷版がそれぞれ隣接するステーションに移送するよう基礎支持部材を移動させるように構成すれば、複数の刷版の移送を極めてシンプルに行うことができる（請求項７）。
【発明を実施するための最良の形態】
【００２４】
以下、図面により、本発明の実施の形態について説明する。
まず、本発明の第１実施形態について図面に基づいて説明する。
図１〜図７は本発明の第１実施形態に係る製版装置を示す図であり、図１はその要部機能を説明する模式的構成図、図２はその要部の配置設定を説明する模式的構成図、図３はその刷版を説明する模式的な側面図、図４はその各処理装置の配置及び刷版の移送装置を示す模式的側面図、図５はその各処理装置の配置を示す模式的平面図、図６はその要部正面図、図７はその離接調整装置の一例を示す模式的な側面図である。
【００２５】
図１に示すように、本製版装置も、図９を参照して説明した製版装置と同様に、各処理ステーションＳ１〜Ｓ４が略水平なライン上に、製版工程の順序に従って、第１処理ステーションＳ１、第２処理ステーションＳ２、第３処理ステーションＳ３、そして第４処理ステーションＳ４の順に配置されている。各処理ステーションＳ１〜Ｓ４には、処理装置３０〜３４が配置されている。
【００２６】
各処理ステーションＳ１〜Ｓ４には、割り当てられた工程に応じた処理装置が設置されており、第１処理ステーションＳ１にはクリーニング装置３０が設置され、第２処理ステーションＳ２には塗布装置３１と乾燥装置３２とが設置され、第３処理ステーションＳ３にはレーザ書き込み装置３３が設置され、第４処理ステーションＳ４には現像装置３４が設置されている。クリーニング装置３０は、水洗装置３０ａと布洗浄装置３０ｂとからなり、刷版１の版面上に付着したインキ、湿し水、紙粉などを水洗した後に、布状物を巻きつけたローラで版面のインキを拭き取るようになっている。塗布装置３１はローラによって刷版１の版面にバーコータを塗布し、これを乾燥装置３２がハロゲンランプの熱によって加熱乾燥するようになっている。レーザ書き込み装置３３は刷版１の版面にレーザ光を照射することで新たな絵柄を書き込む。現像装置３４は刷版１の版面にローラで現像液を塗布し、さらに定着液を塗布することで、レーザ書き込み装置３３により書き込まれた絵柄を現像するようになっている。
【００２７】
本製版装置では、これらの処理装置３０〜３４を支持するステージ７１と油圧式アクチュエータ７２とからなる昇降装置７０が備えられている。つまり、各処理装置３０〜３４が、鉛直方向に昇降可能なステージ（基台）７１上に設置されておち、ステージ７１は、図２に示すように（図１では省略）、油圧式アクチュエータ（油圧シリンダ）７２によって上方に押し上げ駆動されるようになっている。そして、油圧式アクチュエータ７２の油圧調整（給排調整）によって、各処理装置３０〜３４はステージ７１とともに昇降するようになっており、刷版の外径に応じて、各処理装置３０〜３４が所定の高さになるように、ステージ７１が昇降駆動される。
【００２８】
ステージ７１の縁部に又はステージ７１を貫通するように、ストッパ７３が立設されステージ７１の上面が当接しうるようになっている。ただし、ストッパ７３とステージ７１の上面との間には、適宜の厚さのスペーサ７４が介装され、油圧式アクチュエータ７２によりステージ７１が上方に押し上げ駆動されると、ステージ７１の上面がスペーサ７４を介してストッパ７３に当接することで、ステージ７１の上昇時の鉛直方向位置が決定するようになっている。したがって、ステージ７１の上昇を比較的低い位置にする場合には、スペーサ７４をそれに応じた厚みのあるものにし、逆に、ステージ７１の上昇を比較的高い位置にする場合には、スペーサ７４をそれに応じて薄いものにすればよい。
【００２９】
このように、ストッパ７３，スペーサ７４を用いるのは、ステージ７１を確実に所定高さに上昇させるためであり、これによって、各処理装置３０〜３４が確実に所定の高さに調整されるようになっている。
また、図２に示すように、製版処理時に刷版１に接触する部材（水洗装置３０ａのローラや、布洗浄装置３０ｂのローラや、塗布装置３１のローラや、現像装置３４のローラ）は、ほぼ同様な外径に設定され、且つ、水平方向の位置（軸心位置）を、各製版処理時の刷版の水平方向の位置（軸心位置）に対してほぼ等距離となるように設定されている。これによって、刷版１の外径が変わった場合にも、刷版１に接触する各部材は、接触位置が微小にずれる（図２中の角度φ，φ´を参照）ものの、ほぼ同一の位置で刷版１に接触するため、刷版１の外径が変わっても、各処理条件をほぼ一定にすることができるようになっている。
【００３０】
また、各処理装置の要部、特に、製版処理時に刷版１に接触する部材（水洗装置３０ａのローラや、布洗浄装置３０ｂのローラや、塗布装置３１のローラや、現像装置３４のローラ）は、処理時以外には、刷版１から離れた退避位置となるように、それぞれ図示しない離接調整装置が備えられている。
例えば、図７はその離接調整装置の一例を示すクリーニング装置３０の模式的な詳細側面図である。図７に示すように、クリーニング装置３０には、水洗装置３０ａ及び布洗浄装置３０ｂが備えられる。
【００３１】
水洗装置３０ａは、水洗用ローラ１３１を備えているが、この水洗用ローラ１３１を支持するために、ステージ７１上に立設されたポスト１３２と、このポスト１３２にピン１３３を介して基端部を接続され揺動可能なアーム１３４と、このアーム１３４の先端（揺動端）部に、水洗用ローラ１３１を回転自在に支持させる軸１３１ａとが設けられている。そして、アーム１３４の中間部には、ステージ７１上に立設された油圧アクチュエータ（油圧ピストン）１１１の先端がピン１１１ａを通じて接続され、油圧アクチュエータ１１１の伸縮に応じてアーム１３４が揺動し、水洗用ローラ１３１を刷版１の表面に対して離接調整させることができるようになっている。この場合、離接調整装置は、アーム１３４を揺動させる構造と油圧アクチュエータ１１１とから構成されることになる。
【００３２】
布洗浄装置３０ｂは、洗浄用ローラ１３６を備えているが、この洗浄用ローラ１３６を支持するために、ステージ７１上に設置された洗浄装置用ベース１３５と、このベース１３５にブラケット１１１ｂを介して固設された油圧アクチュエータ（油圧ピストン）１１２が備えられ、油圧アクチュエータ１１１の先端に洗浄用ローラ１３６の回転軸１３６ａが備えられている。これにより、油圧アクチュエータ１１２の伸縮に応じて洗浄用ローラ１３６の回転軸１３６ａが移動して、洗浄用ローラ１３６を刷版１の表面に対して離接調整させることができるようになっている。この場合、離接調整装置は、洗浄用ローラ１３６の回転軸１３６ａが移動させる油圧アクチュエータ１１１から構成されることになる。なお、洗浄用ローラ１３６の刷版１との接触部には洗浄布１３８が介在するようになっており、この洗浄布１３８は、リール１３７ａから繰り出され洗浄用ローラ１３６で洗浄に使用された後、リール１３７ｂに回収されるようになっている。
【００３３】
ところで、本製版装置では、刷版１を次の処理ステーションに移送するための移送装置が、図３，図４に示すように構成されている。つまり、図３，図４に示すように、刷版１を移送すべき各処理ステーション［図４では、塗布装置と冷却（乾燥）装置とが別の処理ステーションになっているので処理ステーションは全部で５個（Ｓ１，Ｓ２，Ｓ２´，Ｓ３，Ｓ４）となっている］間の経路には、ベース１００上にステー８６を介して、ガイド部材８５，８５が左右に対をなして刷版１の移送方向に延設されており、各ガイド部材８５上に、刷版１の移送方向に移動可能な基礎支持部材８１が上載されている。この基礎支持部材８１は、油圧式アクチュエータ（油圧シリンダ）８３によって刷版１の移送方向に進退駆動されるようになっている。
【００３４】
また、基礎支持部材８１上には、刷版１の筒状端部を下方から支持しうる刷版支持部材８２が所定の間隔で立設されている各処理ステーションＳ１〜Ｓ４の刷版１の処理位置は、隣接する処理ステーション間で等間隔になるように設定されており、基礎支持部材８１上の各刷版支持部材８２も、各処理ステーションＳ１〜Ｓ４の刷版１の処理位置に対応するように、上記の刷版１の処理位置と同様に等間隔に立設されている。したがって、基礎支持部材８１が刷版１の移送方向に所定の位置に停止すると、各刷版支持部材８２が、各処理ステーションＳ１〜Ｓ４の刷版１の処理位置に整合するように同時に停止し、各処理ステーションＳ１〜Ｓ４の刷版支持装置（チャック装置）９０に容易に受け渡しできるようになっている。
【００３５】
また、各刷版支持部材８２は、基礎支持部材８１に固定された下部ベース部材８２ａと、刷版１を上載する受け部材８２ｂと、下部ベース部材８２ａを受け部材８２ｂに対して昇降させる油圧式アクチュエータ（油圧シリンダ）８２ｃとから構成され、受け部材８２ｂを昇降させることができるようになっている。
また、この例では、各処理ステーションＳ１〜Ｓ４の最上流の第１処理ステーションＳ１の上流に、刷版１を搬入する搬入コンベア９５が設けられ、最下流の第４処理ステーションＳ４の下流に、刷版１を搬出する搬出コンベア９６が設けられている。刷版１は、搬入コンベア９５により搬入ポイントＰ１に搬入され、搬出ポイントＰ２から搬出コンベア９６により搬出されるようになっている。
【００３６】
刷版支持部材８２は、各処理ステーションＳ１〜Ｓ４の処理位置と搬入ポイントＰ１又は搬出ポイントＰ２とに対応して設けられ、基礎支持部材８１が上流端位置にある場合［図４（ａ），（ｂ）］には、各刷版支持部材８２は、搬入ポイントＰ１及び各処理ステーションＳ１〜Ｓ４の処理位置に対応した位置となり、基礎支持部材８１が下流端位置にある場合［図４（ｃ），（ｄ）］には、各刷版支持部材８２は、各処理ステーションＳ１〜Ｓ４の処理位置及び搬出ポイントＰ２に対応した位置となる。
【００３７】
刷版１の移送に当たっては、各刷版支持部材８２の受け部材８２ｂをいずれも降下させた状態で基礎支持部材８１を上流端位置に前進させ、各刷版支持部材８２を、搬入ポイントＰ１及び各処理ステーションＳ１〜Ｓ４の処理位置に対応した位置として［図４（ａ）］、この地点で、受け部材８２ｂをいずれも上昇させて刷版１を受け取り［図４（ｂ）］、この状態で基礎支持部材８１を下流端位置に後退させ、各刷版支持部材８２を、各処理ステーションＳ１〜Ｓ４の処理位置及び搬出ポイントＰ２に対応した位置として［図４（ｃ）］、この地点で刷版１を受け渡した後、受け部材８２ｂをいずれも下降させて［図４（ｄ）］、隣接する処理ステーションＳ１〜Ｓ４間での受け渡しを終了する。
【００３８】
また、各処理ステーションＳ１〜Ｓ４及び搬入ポイントＰ１，搬出ポイントＰ２には、図５，図６に示すようなチャック装置９０が設けられている。このチャック装置９０は、左右に対をなして設けられ、ベース１００上に立設された基部９０ａ上に、油圧式アクチュエータ（油圧シリンダ）９１によって軸方向に移動するステー９２と、ステー９２に回転自在に支持されたチャック部材９３とから構成されている。刷版１が各刷版支持部材８２により、各処理ステーションＳ１〜Ｓ４の処理位置に導入されたら［図４（ｄ）］、チャック部材９３を刷版１の軸心穴に嵌入させて、刷版１を受け取って製版処理を行い、各処理ステーションＳ１〜Ｓ４の製版処理が終了したら、チャック部材９３を刷版１を軸心穴から抜いて刷版支持部材８２に受け渡す。このとき、刷版支持部材８２は受け部材８２ｂを上昇させて刷版１を受け取るようになっている［図４（ｂ）］。
【００３９】
本発明の第１実施形態にかかる製版装置は上述のように構成されているので、刷版１の軸心位置をチャック装置９０によって一定の高さに固定するとともに、昇降装置７０によって処理装置３０〜３４を刷版の外径に応じて昇降させ、さらに、離接調整装置によって、刷版１の外径に応じて昇降された処理装置３０〜３４を刷版１に対して離接調整して、製版の処理を行なうことができ、外径寸法の異なる刷版１に対しても容易に対応して、製版の処理を行うことができる。
【００４０】
また、各ステーションにおける刷版１の停止位置を、互いに等間隔になるように設定し、移送装置を、各ステーションにおける刷版停止位置に対応して複数そなえられた刷版支持部材８２と、これらの複数の刷版支持部材８２を支持する単一の基礎支持部材とを備えるようにし、移送装置を、上記の各刷版支持部材に支持された刷版がそれぞれ隣接するステーションに移送するよう基礎支持部材を移動させるので、複数のステーションＳ１〜Ｓ４に対して、各処理装置３０〜３４の刷版の昇降処理を同時にするため、複数の刷版の移送を極めてシンプルに行うことができる。
【００４１】
さらに、その後、各処理装置３０〜３４によって複数の刷版の並列処理が可能になるため、各処理装置の処理速度は従来と同じであっても全体として高い処理速度を得ることができる。
また、複数の処理装置のうち刷版１の版面に直接接触する処理装置を、各処理対象の上記刷版の軸心の水平方向位置に対して水平方向に略一定距離の水平方向位置で接触するように設定するので、刷版１の外径が異なるものになっても、処理装置を刷版１の版面に適切に接触させることができ、製版処理を高精度に行うことができる。
【００４２】
また、上記刷版が再生式刷版の場合、絵柄の書き換えに要する処理速度が向上し、より少ない刷版数で運用することが可能になる。
なお、基礎支持部材８１を進退駆動する油圧式アクチュエータ（油圧シリンダ）８３に代えて、図８に示すようにラック８４ａとピニオン８４ｂとをそなえ、ピニオン８４ｂを回動させることでラック８４ａとともに基礎支持部材８１を進退駆動するラック＆ピニオン式アクチュエータとしてもよい。
【００４３】
次に、本発明の第２実施形態について図面に基づいて説明する。
図９は本発明の第２実施形態に係る製版装置の要部機能を説明する模式的構成図である。
図９に示すように、この製版装置では、昇降装置が各処理装置毎に個別に作動するようになっている。
【００４４】
これによって、外径の異なる刷版１を同時並行的に処理することができる効果がある。
以上、本発明の実施形態について説明したが、本発明は上述の実施形態に限定されるものではなく、本発明の趣旨を逸脱しない範囲で種々変形して実施することができる。
例えば、上記の第１実施形態では、全ての処理ステーションを一体に昇降させているが、所要の複数の処理ステーションについて一体昇降させるようにしてもよい。もちろん、第１，２実施形態の組み合わせも考えられる。
【００４５】
また、各アクチュエータについても、油圧式アクチュエータ（油圧シリンダ）に限るものでは、電動式等を用いてもよい。
【図面の簡単な説明】
【００４６】
【図１】本発明の第１実施形態にかかる製版装置の要部機能を説明する模式的構成図である。
【図２】本発明の第１実施形態にかかる製版装置の要部の配置設定を説明する模式的構成図である。
【図３】本発明の第１実施形態にかかる刷版を説明する模式的な側面図であり、（ａ）は小径に円筒形成された刷版を示し、（ｂ）は大径に円筒形成された刷版を示す。
【図４】本発明の第１実施形態にかかる製版装置の各処理装置の配置及び刷版の移送装置を示す模式的側面図であって、（ａ）〜（ｄ）の順に移送の過程を示す。
【図５】本発明の第１実施形態にかかる製版装置の各処理装置の配置を示す模式的平面図である。
【図６】本発明の第１実施形態にかかる製版装置の要部正面図であり、（ａ）は図４，図５のＡ−Ａ断面図、（ｂ）は図４，図５のＢ−Ｂ断面図である。
【図７】本発明の第１実施形態にかかる製版装置の離接調整装置の一例を示す模式的な側面図である。
【図８】本発明の第１実施形態にかかる刷版の移送装置の変形例を示す模式的側面図である。
【図９】本発明の第２実施形態にかかる製版装置の要部機能を説明する模式的構成図である。
【図１０】本願の創案過程で案出された製版装置を示す模式的構成図である。
【符号の説明】
【００４７】
１  刷版
２  キャリア
２０  チャック装置
３０  クリーニング装置
３０ａ  水洗装置
３０ｂ  布洗浄装置
３１  塗布装置
３２  乾燥装置
３３  レーザ書き込み装置
３４  現像装置
５０  製版装置
５１  移送装置
５２  チェーン（無限軌道部材）
５３  ガイド
７０  昇降装置
７１  ステージ
７２  油圧式アクチュエータ
７３  ストッパ
７４  スペーサ
８１  基礎支持部材
８２  刷版支持部材
８２ａ  下部ベース部材
８２ｂ  受け部材
８２ｃ  油圧式アクチュエータ（油圧シリンダ）
８３  油圧式アクチュエータ（油圧シリンダ）
８５  ガイド部材
８６  ステー
９０  刷版支持装置（チャック装置）
９０ａ  基部
９１  油圧式アクチュエータ（油圧シリンダ）
９２  ステー
９３  チャック部材
９５  搬入コンベア
９６  搬出コンベア
１００  ベース
Ｓ０  搬入ステーション
Ｓ１  第１処理ステーション
Ｓ２  第２処理ステーション
Ｓ３  第３処理ステーション
Ｓ４  第４処理ステーション
Ｓ５  搬出ステーション
Ｐ１  搬入ポイント
Ｐ２  搬出ポイント
【図１】
2005313494.tif 000003
【図２】
2005313494.tif 000004
【図３】
2005313494.tif 000005
【図４】
2005313494.tif 000006
【図５】
2005313494.tif 000007
【図６】
2005313494.tif 000008
【図７】
2005313494.tif 000009
【図８】
2005313494.tif 000010
【図９】
2005313494.tif 000011
【図１０】
2005313494.tif 000012